(57)【要約】【課題】プラズマディスプレイ装置の接続ケーブルの外れを検出するとともに電源配線の短絡を検出する。【解決手段】プラズマディスプレイパネルと、プラズマディスプレイパネルを駆動する駆動回路を搭載した複数の回路基板５１〜５４とを備えたプラズマディスプレイ装置であって、複数の回路基板５１〜５４のそれぞれは、所定の電源Ｅ６１に接続される電源配線６１〜６４と、複数の回路基板５１〜５４を周回する異常検出配線７１〜７７とで接続され、異常検出回路７０とを備え、複数の回路基板を周回する異常検出配線７１〜７７の一方を所定の電源にプルアップし、他方を接地電位にプルダウンするとともに異常検出配線の電圧を監視する異常検出回路７０に接続し、複数の回路基板５１〜５４の少なくとも１つの回路基板５３は、異常検出配線７３と電源配線６３とをダイオードＤ７３を介して接続したことにより、異常検出回路７０が電源配線の電圧異常を検出する。【選択図】図６
2012145799.tif 000002
【特許請求の範囲】
【請求項１】
プラズマディスプレイパネルと、前記プラズマディスプレイパネルを駆動する駆動回路を搭載した複数の回路基板とを備えたプラズマディスプレイ装置であって、
前記複数の回路基板のそれぞれは、所定の電源に接続される電源配線と、前記複数の回路基板を周回する異常検出配線とで接続され、
前記複数の回路基板を周回する異常検出配線の一方を前記所定の電源にプルアップし、他方を接地電位にプルダウンするとともに前記異常検出配線の電圧を監視する異常検出回路に接続し、
前記複数の回路基板の少なくとも１つの回路基板において、前記異常検出配線と前記電源配線とをダイオードを介して接続したことにより、前記異常検出回路が前記電源配線の電圧異常を検出することを特徴とするプラズマディスプレイ装置。
【請求項２】
前記複数の回路基板は、データ電極駆動回路を分割して搭載した回路基板、またはデータ電極駆動回路を分割して搭載したデータモジュールを接続する回路基板であり、前記所定の電源は、データ電極駆動回路に供給する電源であることを特徴とする請求項１に記載のプラズマディスプレイ装置。
【発明の詳細な説明】
【技術分野】
【０００１】
本発明は、プラズマディスプレイパネルを用いたプラズマディスプレイ装置に関する。
【背景技術】
【０００２】
プラズマディスプレイパネル（以下、「パネル」と略記する）は、走査電極、維持電極およびデータ電極を有する放電セルを多数配列し、それぞれの放電セルの発光・非発光を制御することにより画像を表示する表示デバイスである。
【０００３】
プラズマディスプレイ装置は、上述したパネルに加えて、画像信号処理を行う画像信号処理回路、走査電極、維持電極、データ電極のそれぞれを駆動する各電極駆動回路、各回路ブロックに電力を供給する電源回路、これらの回路ブロックを制御するためのタイミング信号を発生するタイミング発生回路等を備えている。これらの回路は複数の回路基板上に分割して実装され、接続ケーブル等により互いの回路基板が電気的に接続されている。
【０００４】
しかし、組み立て時の作業ミス、輸送中の振動等、何らかの理由により接続ケーブルの外れが生じた場合、画像を正常に表示できなくなるだけでなく、回路の破壊等を発生させる恐れがあった。また、ごみによる端子間の短絡や駆動回路の誤動作等により、回路基板に供給されている電源配線の短絡が発生した場合にも、同様の不具合が発生するおそれがあった。プラズマディスプレイ装置には、これらの不具合を検出し、プラズマディスプレイ装置を停止させるための安全回路が組み込まれている。
【０００５】
接続ケーブルの外れを検出する方法としては、例えば特許文献１に、複数の接続ケーブルの配線のうち予め定められた配線を通して接続ケーブルの接続信号を供給する手段を回路基板の一方に設け、回路基板の他方に接続信号を受信し、少なくとも接続信号の１つが受信できないとき回路基板間の接続不良を指定する手段を備えた接続ケーブル外れ検出回路が開示されている。
【０００６】
また電源配線の短絡を検出する方法としては、例えば特許文献２に、電流値検出手段を備え、電源回路から流れ出る電流値を検出し、電流値が所定の閾値を超えた場合に出力を停止する機能を備えたプラズマディスプレイ用の電源回路が開示されている。
【先行技術文献】
【特許文献】
【０００７】
【特許文献１】特開平２−１６５５８１号公報
【特許文献２】特開２０００−１７２２２２号公報
【発明の概要】
【発明が解決しようとする課題】
【０００８】
しかしながら最近のパネルの大画面化にともない、電流経路が長くなるとともに、各回路に流れる電流の最大値も増加する傾向にある。そのため電源回路から遠い位置にある回路ブロックまたは回路素子で電源配線の短絡が発生しても、電流経路のインピーダンスが大きいために電源回路から流れ出る電流値が閾値を超えることなく、異常を発見できないという課題があった。
【０００９】
本発明は、上記課題に鑑みなされたものであり、接続ケーブルの外れを検出するとともに電源配線の短絡を検出する機能を備えたプラズマディスプレイ装置を提供することを目的とする。
【課題を解決するための手段】
【００１０】
上記目的を達成するために本発明は、プラズマディスプレイパネルと、プラズマディスプレイパネルを駆動する駆動回路を搭載した複数の回路基板とを備えたプラズマディスプレイ装置であって、複数の回路基板のそれぞれは、所定の電源に接続される電源配線と、複数の回路基板を周回する異常検出配線とで接続され、複数の回路基板を周回する異常検出配線の一方を所定の電源にプルアップし、他方を接地電位にプルダウンするとともに異常検出配線の電圧を監視する異常検出回路に接続し、複数の回路基板の少なくとも１つの回路基板において異常検出配線と電源配線とをダイオードを介して接続したことにより、異常検出回路が電源配線の電圧異常を検出することを特徴とする。この構成により、接続ケーブルの外れを検出するとともに電源配線の短絡を検出する機能を備えたプラズマディスプレイ装置を提供することができる。
【００１１】
また本発明のプラズマディスプレイ装置の前記複数の回路基板は、データ電極駆動回路を分割して搭載した回路基板、またはデータ電極駆動回路を分割して搭載したデータモジュールを接続する回路基板であり、前記所定の電源は、データ電極駆動回路に供給する電源であってもよい。
【発明の効果】
【００１２】
本発明によれば、接続ケーブルの外れを検出するとともに電源配線の短絡を検出する機能を備えたプラズマディスプレイ装置を提供することが可能となる。
【図面の簡単な説明】
【００１３】
【図１】本発明の実施の形態のプラズマディスプレイ装置のパネルの分解斜視図である。
【図２】同プラズマディスプレイ装置のパネルの電極配列図である。
【図３】同プラズマディスプレイ装置の回路ブロック図である。
【図４】同プラズマディスプレイ装置のパネルの外観を模式的に示す平面図である。
【図５】同プラズマディスプレイ装置の回路基板の配置を示す図である。
【図６】同プラズマディスプレイ装置の回路基板の詳細を示す図である。
【図７】同プラズマディスプレイ装置の接続ケーブルが外れた状態を示す図である。
【図８】同プラズマディスプレイ装置の電源配線で短絡が発生した状態を示す図である。
【発明を実施するための形態】
【００１４】
以下、本発明の実施の形態におけるプラズマディスプレイ装置について、図面を用いて説明する。
【００１５】
（実施の形態）
図１は、本発明の実施の形態のプラズマディスプレイ装置のパネル１０の分解斜視図である。パネル１０は、ガラス製の前面基板１１と背面基板２１とを対向配置して、その間に放電空間を形成するように構成されている。前面基板１１上には走査電極１２と維持電極１３とから構成される表示電極対１４が複数形成されている。そして、表示電極対１４を覆うように誘電体層１５が形成され、誘電体層１５上には保護層１６が形成されている。また、背面基板２１上には複数のデータ電極２２が平行に形成され、データ電極２２を覆うように誘電体層２３が形成され、さらに誘電体層２３上に井桁状の隔壁２４が設けられている。また、誘電体層２３の表面および隔壁２４の側面に蛍光体層２５が設けられている。そして、走査電極１２および維持電極１３とデータ電極２２とが交差するように前面基板１１と背面基板２１とが対向配置されており、その間に形成される放電空間には、放電ガスとして、例えばネオンとキセノンの混合ガスが封入されている。
【００１６】
前面基板１１および背面基板２１の大きさは、画面サイズが４２インチ相当のパネルであれば、それぞれ、例えば９８０ｍｍ×５７０ｍｍであり、５０インチ相当のパネルであれば、それぞれ、例えば１１６０ｍｍ×６８０ｍｍである。
【００１７】
図２は、本発明の実施の形態におけるプラズマディスプレイ装置のパネル１０の電極配列図である。パネル１０には、行方向に長いｎ本の走査電極１２およびｎ本の維持電極１３が配列され、列方向に長いｍ本のデータ電極２２が配列されている。そして、１対の走査電極１２および維持電極１３と１つのデータ電極２２とが交差した部分に放電セルが形成され、放電セルは放電空間内にｍ×ｎ個形成されている。放電セルの数は、画面サイズが５０インチ相当のパネルであれば、例えば１０８０×５７６０個である。
【００１８】
図３は、本発明の実施の形態におけるプラズマディスプレイ装置３０の回路ブロック図である。プラズマディスプレイ装置３０は、パネル１０、画像信号処理回路３１、データ電極駆動回路３２、走査電極駆動回路３３、維持電極駆動回路３４、タイミング発生回路３５および各回路ブロックに必要な電源を供給する電源回路３６を備えている。
【００１９】
画像信号処理回路３１は、入力された画像信号をサブフィールド毎の発光・非発光を示す画像データに変換する。
【００２０】
データ電極駆動回路３２はサブフィールド毎の画像データをデータ電極２２のそれぞれに対応する書込みパルスに変換しデータ電極２２のそれぞれに印加する。データ電極駆動回路３２は、所定本数のデータ電極２２に印加する書込みパルスを発生する集積回路３８を複数有する。この集積回路３８を、以下「データドライバ３８」と呼称する。本実施の形態においては、データドライバ３８のそれぞれは３８４本分のデータ電極２２に印加する書込みパルスを発生するモノリシックＩＣとして構成されている。そして１５個のデータドライバ３８を用いて５７６０本のデータ電極２２を駆動している。
【００２１】
タイミング発生回路３５は同期信号をもとにして各回路ブロックの動作を制御する各種のタイミング信号を発生し、それぞれの回路ブロックへ供給する。走査電極駆動回路３３は、タイミング信号にもとづいて走査電極１２のそれぞれに印加する駆動電圧波形を発生する。維持電極駆動回路３４は、タイミング信号にもとづいて維持電極１３に印加する駆動電圧波形を発生する。
【００２２】
図４は、本発明の実施の形態のプラズマディスプレイ装置のパネル１０の外観を模式的に示す平面図であり、画面サイズが５０インチ相当のパネル１０を前面基板１１側から見た図である。パネル１０の前面基板１１および背面基板２１は矩形状であり長辺と短辺を有している。前面基板１１の短辺右側には走査電極用の電極引出部が形成されており、電極引出部のそれぞれはｎ本の走査電極１２のそれぞれに接続されている。これら電極引出部はそれぞれ複数のブロックに分かれており、各々のブロックにはフレキシブルプリント基板４１が接続されている。
【００２３】
また、前面基板１１の短辺左側には維持電極用の電極引出部が形成されており、電極引出部はｎ本の維持電極１３に接続されている。ただし維持電極１３については、それぞれが電気的に接続されていてもよく、この場合には電極引出部のそれぞれが維持電極１３のそれぞれに１対１で対応していなくてもよい。これら電極引出部もそれぞれ複数のブロックに分かれており、各々のブロックにはフレキシブルプリント基板４１が接続されている。
【００２４】
また背面基板２１の長辺下側にはデータ電極用の電極引出部が形成されている。データ電極用の電極引出部のそれぞれはｍ本のデータ電極２２のそれぞれに接続されている。本実施の形態においては、この電極引出部は１５のブロックに分かれており、各々のブロックにはデータ電極２２を駆動するためのデータドライバ３８が１個搭載されたフレキシブルプリント基板４３が接続されている。以下、データドライバ３８が搭載されたフレキシブルプリント基板４３をデータモジュール４３と称する。このように背面基板２１の長辺下側には１５個のデータモジュール４３が接続されている。
【００２５】
図５は、本発明の実施の形態におけるプラズマディスプレイ装置３０の回路基板の配置を示す図である。図５は、画面サイズが５０インチ相当のパネルを搭載したプラズマディスプレイ装置３０の回路基板の配置図であり、バックカバーを外した状態で、裏面側から見た図である。各種の回路基板は、シャーシ５０と平行に、シャーシ５０に取り付けられている。
【００２６】
図５に示した回路基板５１は、画像信号処理回路３１を搭載した回路基板である。また回路基板５２〜５４は、それぞれデータドライバ３８が搭載されたデータモジュール４３を接続するためのコネクタ６６を有し、電力および画像データをデータドライバ３８のそれぞれに供給する中継用の回路基板である。そしてこれらの回路基板５１〜５４は接続ケーブル５６〜５８を介して電気的に接続され、電力の供給や必要な信号の授受を行っている。
【００２７】
このように本実施の形態におけるプラズマディスプレイ装置３０は、複数の回路基板５１〜５４を有し、これら複数の回路基板５１〜５４のそれぞれは、接続ケーブル５６〜５８で接続されている。そして複数の回路基板５１〜５４は、データ電極駆動回路を分割して搭載したデータモジュール４３を接続する回路基板である。
【００２８】
ここで、回路基板５２〜５４のそれぞれの長さは、パネル１０の長辺下側のデータ電極用の電極引出部が形成されている領域の長さのおよそ１／３の長さの３５０ｍｍである。
【００２９】
図６は、本発明の実施の形態におけるプラズマディスプレイ装置３０の回路基板５１〜５４の詳細を示す図である。また図７は、本発明の実施の形態におけるプラズマディスプレイ装置３０の接続ケーブル５７が外れた状態を示す図であり、図８は、本発明の実施の形態におけるプラズマディスプレイ装置３０の電源配線６３で短絡が発生した状態を示す図である。
【００３０】
回路基板５１は、電源配線６１と、異常検出配線７１と、異常検出配線７７と、抵抗Ｒ７１と、抵抗Ｒ７７と、異常検出回路７０とを有する。電源配線６１には、データドライバに供給するための所定の電源である電圧３．３Ｖの電源Ｅ６１が電源回路３６から供給されている。抵抗Ｒ７１は、一方の端子が電源配線６１に接続され他方の端子が異常検出配線７１に接続されている。したがって異常検出配線７１は抵抗Ｒ７１によりプルアップされている。異常検出配線７７は抵抗Ｒ７７によりプルダウンされ、異常検出回路７０に入力されている。なお抵抗Ｒ７７は抵抗Ｒ７１よりも十分大きく設定されており、たとえば抵抗Ｒ７１は１ｋΩ、抵抗Ｒ７７は１０ｋΩである。
【００３１】
また回路基板５１には画像信号処理回路３１および画像データ配線を有するが、図６では省略した。
【００３２】
回路基板５２は、電源配線６２と、異常検出配線７２と、異常検出配線７４と、異常検出配線７６と、５個のコネクタ６６とを有する。そして電源配線６２からコネクタ６６を介してデータモジュール４３に搭載されたデータドライバ３８に電源を供給する。
【００３３】
回路基板５３は、電源配線６３と、異常検出配線７３と、ダイオードＤ７３と、５個のコネクタ６６とを有する。そして電源配線６３からコネクタ６６を介してデータモジュール４３に搭載されたデータドライバ３８に電源を供給する。異常検出配線７３は回路基板５３を周回する形状に設けられている。ダイオードＤ７３のカソードは電源配線６３に接続され、アノードは異常検出配線７３に接続されている。本実施の形態においては、ダイオードＤ７３は、図６の最も左側に示したコネクタ６６ｘの近傍の電源配線６３および異常検出配線７３に接続されている。
【００３４】
回路基板５４は、電源配線６４と、異常検出配線７５と、ダイオードＤ７５と、５個のコネクタ６６とを有する。そして電源配線６４からコネクタ６６を介してデータモジュール４３に搭載されたデータドライバ３８に電源を供給する。異常検出配線７５は回路基板５４を周回する形状に設けられている。ダイオードＤ７５のカソードは電源配線６４に接続され、アノードは異常検出配線７５に接続されている。本実施の形態においては、ダイオードＤ７５は、図６の最も右側に示したコネクタ６６ｙの近傍の電源配線６３および異常検出配線７３に接続されている。
【００３５】
そして回路基板５１と回路基板５２とは接続ケーブル５６で接続され、回路基板５２と回路基板５３とは接続ケーブル５７で接続され、回路基板５２と回路基板５４とは接続ケーブル５８で接続されている。
【００３６】
これにより、複数の回路基板５１〜５４のそれぞれの電源配線６１〜６４は、接続ケーブル５６〜５８を介して所定の電源Ｅ６１に接続される。また複数の回路基板５１〜５４のそれぞれの異常検出配線７１〜７７は、接続ケーブル５６〜５８を介して複数の回路基板５１〜５４を周回する異常検出配線となる。そしてこの複数の回路基板を周回する異常検出配線７１〜７７の一方を抵抗Ｒ７１を用いて所定の電源Ｅ６１にプルアップし、他方を抵抗Ｒ７７を用いて接地電位にプルダウンするとともに異常検出配線７７の電圧を監視する異常検出回路７０に接続される。さらに回路基板５３は、異常検出配線７３と電源配線６３とがダイオードＤ７３を介して接続されており、回路基板５４も、異常検出配線７５と電源配線６４とがダイオードＤ７５を介して接続されている。
【００３７】
なお回路基板５２〜５４のそれぞれには、コネクタ６６を介してデータモジュール４３に搭載されたデータドライバ３８に画像データを供給する画像データ配線を有するが、図６では省略した。
【００３８】
電源回路３６の電源Ｅ６１から回路基板５１の電源配線６１に供給される電圧３．３Ｖの電力は、接続ケーブル５６、電源配線６２を経由して回路基板５２のコネクタ６６に接続されたデータモジュール４３のデータドライバ３８に供給される。また同電力は、接続ケーブル５６、電源配線６２、接続ケーブル５７、電源配線６３を経由して回路基板５３のコネクタ６６に接続されたデータモジュール４３のデータドライバ３８に供給される。さらに同電力は、接続ケーブル５６、電源配線６２、接続ケーブル５８、電源配線６４を経由して回路基板５４のコネクタ６６に接続されたデータモジュール４３のデータドライバ３８に供給される。
【００３９】
したがって、図６の最も左側に示したコネクタ６６ｘに至るまでの電源配線は、電源配線６１のインピーダンス、接続ケーブル５６のインピーダンス、電源配線６２のインピーダンス、接続ケーブル５７のインピーダンス、電源配線６３のインピーダンスが加算されるので、大きなインピーダンスをもつ。同様に、図６の最も右側に示したコネクタ６６ｙに至るまでの電源配線は、電源配線６１のインピーダンス、接続ケーブル５６のインピーダンス、電源配線６２のインピーダンス、接続ケーブル５８のインピーダンス、電源配線６４のインピーダンスが加算されるので、大きなインピーダンスをもつ。
【００４０】
例えば、接続ケーブル５６〜５８のインピーダンスがそれぞれ０．３Ω、回路基板５２〜５４の長さ方向のインピーダンスがそれぞれ０．４Ωと仮定すると、図６の最も左側に示したコネクタ６６ｘに至るまでの電源配線のインピーダンスは、
０・３＋（０．４／２）＋０．３＋０．４＝１．２Ω
となる。また図６の最も右側に示したコネクタ６６ｙに至るまでの電源配線のインピーダンスも同様である。
【００４１】
なお詳細な説明は省略するが、画像データも同様の経路で、回路基板５１から、回路基板５２〜５４のそれぞれへ供給され、対応するデータモジュール４３のそれぞれに搭載されたデータドライバ３８へ供給されている。
【００４２】
異常検出配線は、回路基板５１の抵抗Ｒ７１から、異常検出配線７１、接続ケーブル５６、回路基板５２の異常検出配線７２、接続ケーブル５７、回路基板５３の異常検出配線７３、接続ケーブル５７、回路基板５２の異常検出配線７４、接続ケーブル５８、回路基板５４の異常検出配線７５、接続ケーブル５８、回路基板５２の異常検出配線７６、接続ケーブル５６、回路基板５１の異常検出配線７７と、回路基板５１〜５４を周回して回路基板５１に戻る。そして抵抗Ｒ７７でプルダウンされて異常検出回路７０に入力される。
【００４３】
ここで、接続ケーブル５６〜５８が確実に接続されており、かつ電圧３．３Ｖの電源配線が短絡することなく正常に電圧が印加されている場合には、ダイオードＤ７３、Ｄ７５は逆極性にバイアスされている。そのため異常検出回路７０には電圧３．３Ｖを抵抗Ｒ７１と抵抗Ｒ７７とで分圧した電圧が入力される。本実施の形態においては抵抗値が、Ｒ７７≫Ｒ７１であるので、異常検出回路７０にはほぼ電圧３．３Ｖが入力される。
【００４４】
しかしながら、もし図７に示すように、接続ケーブル５７が外れておれば、異常検出配線７７には電圧が印加されないので、異常検出回路７０には電圧０Ｖが入力される。接続ケーブル５６または接続ケーブル５８が外れた場合であっても同様に、異常検出回路７０には電圧０Ｖが入力される。すると異常検出回路は電源回路３６の出力を停止して、プラズマディスプレイ装置の動作を安全に停止させる。
【００４５】
また図８に示すように、データドライバ３８（データモジュール４３ｚに搭載されたデータドライバ）が故障して電源端子と接地端子との間のインピーダンスが異常に小さくなった場合、あるいは導電性のゴミ等により電源配線が短絡した場合、例えば、電源配線のインピーダンスが１．２Ωであれば、
３．３Ｖ／１．２Ω＝２．７５Ａ
の電流が流れる。そしてこの電流が電源Ｅ６１の供給すべき電流の最大値よりも小さいと、電源回路３６は電流制限がかからず電流が流れ続けることになる。
【００４６】
しかしながら本実施の形態においては、ダイオードＤ７３およびダイオードＤ７５のうちの少なくとも１つのダイオード（図８においてはダイオードＤ７３）が導通して異常検出配線７３の電圧が低下する。そのため異常検出配線７７の電圧も低下して、異常検出回路７０には電圧３．３Ｖよりもはるかに低い電圧が入力される。すると異常検出回路は電源回路３６の出力を停止して、プラズマディスプレイ装置の動作を安全に停止させる。
【００４７】
このように本実施の形態においては、回路基板５１〜５４を周回して接続ケーブルの外れを検出する異常検出配線を設けるとともに、異常検出配線と電源配線とをダイオードで接続することで電源配線の短絡を検出している。これにより、接続ケーブルの外れが発生した場合、および電源配線が短絡した場合に、プラズマディスプレイ装置の動作を速やかにかつ安全に停止させることができる。
【００４８】
なお本実施の形態においては、データ電極駆動回路を分割して搭載したデータモジュール４３を接続する回路基板を３枚の回路基板５２〜５４で構成したが、本発明は回路基板の数に限定されるものではない。また本実施の形態においては、ダイオードＤ７３は図６の最も左側に示したコネクタ６６ｘの近傍の電源配線６３および異常検出配線７３に接続し、ダイオードＤ７５は図６の最も右側に示したコネクタ６６ｙの近傍の電源配線６３および異常検出配線７３に接続したが、ダイオードを接続する位置もこれに限定されるものではなく、必要に応じて設定することができる。
【００４９】
なお、本実施の形態において用いた具体的な数値等は、単に一例を挙げたに過ぎず、パネルの特性やプラズマディスプレイ装置の仕様等に合わせて、適宜最適な値に設定することが望ましい。
【産業上の利用可能性】
【００５０】
本発明は、接続ケーブルの外れを検出するとともに電源配線の短絡を検出することができ、プラズマディスプレイ装置として有用である。
【符号の説明】
【００５１】
１０    パネル
１１    前面基板
１２    走査電極
２２    データ電極
３０    プラズマディスプレイ装置
３２    データ電極駆動回路
３６    電源回路
３８    データドライバ
４１    フレキシブルプリント基板
４３    データモジュール
５１，５２，５３，５４    回路基板
５６，５７，５８    接続ケーブル
６１，６２，６３，６４    電源配線
６６，６６ｘ，６６ｙ    コネクタ
７０    異常検出回路
７１，７２，７３，７４，７５，７６，７７    異常検出配線
Ｄ７３，Ｄ７５    ダイオード
Ｅ６１    電源
Ｒ７１，Ｒ７７    抵抗
【図１】
2012145799.tif 000003
【図２】
2012145799.tif 000004
【図３】
2012145799.tif 000005
【図４】
2012145799.tif 000006
【図５】
2012145799.tif 000007
【図６】
2012145799.tif 000008
【図７】
2012145799.tif 000009
【図８】
2012145799.tif 000010